(57)【要約】  お椀、皿、コップ及びスプーンはあらかじめ折り目のついた半透明のプラスチックのシートで美しい外観が表に出る折り方の出来る容器である。お椀とコップの縁は容器として使われる時、２段階の異なる高さで、液体が角でボタン留めしているレベルより上に行かないようにしてある。スプーンは折り目のついた隣接する平らなシートで取っ手とお椀となるよう形成されている。お皿は折り目が所定の位置に納まるよう固くされた縁を持つ楕円形の折り目は、折りたたまれた際、外観を美しく見せると同時に容器の縁を形成する働きをしている。【選択図】図１
2009512503.tif 000002
【特許請求の範囲】
【請求項１】
前記シートの周囲端を定義する複数の側面があるプラスチックシートを含む液体を保持するための折り曲げられる容器であって、
aで閉じた形を定義する、一連の得点された折り重なるライン
前記プラスチックシートの中央部、および前記周囲端のそれぞれの側と同じ一般的な方角に伸びること;
各角から外に分岐する、１組の得点された折り重なるライン、の
一連の三角形のフラップを形成する前記周囲端への前記閉じた形、容器側がいつ定義したかは前記三角形のフラップ間できちんとたたまれることは、援助隣辺のうちの１つの上に、および隣辺の上に折り重ねられるかもしれない;
各々の前記ことの一番上のスナップの連れ添うセットをさらに含んでいること
その前記折り重ねられた条件の確保を許可するために、部位中の側は、整列した穴部で前記traiangularフラップをそこに覆った、側のうちの２つの少なくとも１つの外形上曲がる周囲端を含む改良、および反対側の少なくとも１つの上の内部に曲がる周囲端、その結果１つの、より低い、また、上側端部は前記折り重ねられた容器の縁（前記容器が液体が前記スナップ設定レベルに達しない場合があることを保証するためにきちんとたたまれる時、より高いレベルにある、連れ添うスナップ・セット）を定義して作成される、
容器。
【請求項２】
プラスチック、である、半透明、その結果前記オーバーラップしたセクション、またセクション上に折り重ねられた、前記セクションが折り重ねられるプラスチックシートの一部によって内部から目に見える、
請求項１に記載の容器。
【請求項３】
そこで、前記容器
角および前記スコア・ラインを形成した、生ずる、１つの、狭い、とがっている端部を延長した、前記シートから同時に折り重ねられた個々の楕円形のシートのラインに沿って曲がることにより、丸コーナを作成する、各々の前記容器の各角での楕円形のシート、
請求項２に記載の折り曲げられる容器。
【発明の詳細な説明】
【技術分野】
【０００１】
本発明は、お椀、コップ及び皿のような料理を提供する調理用品に関するものであり、それは平らなシートを折りたたんで作られる。
【背景技術】
【０００２】
類似の容器既に開発されており、容易な貯蔵性という利点を備えている。例えば、取っ手付きカップについて米国特許出願公開第２００５／１０３８４号明細書（U.S.Publication No.2005/10384 A1）は、プラスチックのシートから折り目をつけて一定の形の取っ手付きのコップを例示している。又、同様の容器は、ORIKASOの商標の下で現在販売されている。
【発明の開示】
【発明が解決しようとする課題】
【０００３】
そのような折りたためる容器は提供されているが、スプーンとして使用されるような容器はかつて提案された事はないと考えられる。
【０００４】
本発明は、よりすぐれた、折り重ねるのが簡単で、現存する折りたたみ可能な器具よりもすぐれた折りたたみ可能な容器を提供することを目的とする。
【０００５】
本発明は更にスプーンやその他の折りたたみ式の容器を提供することを目的とする。
【課題を解決するための手段】
【０００６】
上記及他の発明の目的は上記の仕様の通りで、発明者の主張は、折りたたみ式の一般的に長方形状をした、複数のひだのある部分をお椀と隣接したハンドル部より作られる折りたたみ式のスプーンや他の用具を提供することにある。
【０００７】
取っ手に沿い、椀部の方に伸びた２本のたての折りたたみ線は椀の部分で切目のある線及び３番目のたての線と交わり、取っ手部分まで続く。
【０００８】
これらのひだの部分から折られた折り目は平らにもなり、一緒になって伸張した三層のプラスチックシートの取っ手となる。お椀部は２個の上向きの取っ手部分から折り線の入った面で構成されており、２つの面は湾曲した形で取っ手部分と交叉している。
【０００９】
取っ手を覆っている部分は、折り重なった取っ手部と共に折りたため、折り重なった部分をボタン留めする事により、固い取っ手となる。
【００１０】
お椀、皿、コップなどのような折り曲げられる容器や他の容器も同じように半透明のシート状のプラスチックから形づくられ、折りたたんでからボタン留めされる。薄い色の半透明のプラスチックシートは、容器の角で折りたたまれ、ボタン留めされ、視覚的な特徴を作り出し、外観を際立たせる。
【００１１】
お椀とコップの容器は、対になったボタンを留めることにより、折りたたまれた状態を保持する。形作られた容器の１ヶ所以上の縁は、他の縁のレベルより低くなっており、容器内の液体のレベルがボタン留めをした部分より上に行かないよう工夫されている。
【００１２】
折りたたみ線に沿って作られた楕円形の容器は、外観を美しく見せる柔らかい曲線で形づくられ、より魅力を増している。
【発明を実施するための最良の形態】
【００１３】
下記の詳細な説明では説明を明瞭にする為に、ある特定の用語は、35USC112の条件に従って記述されている。しかし、これは何かを制限する為のものではなく、発明が追加された請求項の範囲内の多くの形式および変化を採用できることは言うまでもない。
【００１４】
図面、特に図１−７を参照、折りたためるスプーン１０は、他方の１個の端部とスプーンのお椀１４でハンドル１２を含めて示される。
【００１５】
スプーン１０は、フラット・シート１６から形成され、図７に示されるパターンと折り目に従い形成される。
【００１６】
シート１６は食品グレードのポリプロピレンで作られた０．６ｍｍ厚のプラスチックである。このシートはダイカットされ、図７で示される折り目に沿って折られ、図１−６に示されるスプーン１０を形づくる。折り目は、アートと称されるダイカット方式で作成される。
【００１７】
折れ線パターンはセクション１８の底部を端から端へ横切る平行線22と同じ領域を含んでいる。
【００１８】
セクション１８の上部Ｂはライン２６、隣接した２本のライン２６−２、更に隣接した２６−３、２６−４の折れ線を表す。
【００１９】
２個の対のおすのスナップボタンは、底部の両端、めすのスナップボタン３０は上部Bの両端を下記目的の為に配置されている。
【００２０】
おすのスナップボタン２８は底部Ａに取り付けられ、２つのめすのスナップボタン３０は下記目的の為、上部Ｂの端に取り付けられている。
【００２１】
張り出部２０の裏には先端３６に集合し、湾曲面にまで伸びたセクション１８に隣接した平面３２がある。
【００２２】
丸い端のセクション２０はその長さの一部分として、セクション１８にある外側の刻み線２１−１と２１−３の２本の整列線から伸びた直線３８を含む刻み線のパターンがある。
【００２３】
２つ目の折りたたみ線である１組は、セクション１８の中心部にある折りたたみ線２２−２の右端にある点Ｘから直線３８の一つと交わる点Ｙへと分岐する。ゆるくカーブしたライン４２は湾曲底部を備え、中心部に位置する三角形４４を形成するいくつかの点Ｙと交わる。
【００２４】
一組の直線４６は、それぞれの点Ｙから伸び、後方へ傾斜する角度で直線の側と交わる。
【００２５】
各先端部Ｙからの完全な先端部３６の方へさらに放射することはそうである、それぞれの曲がったペアの折り目ライン４８成形加工、狭いとがっている端部楕円形５０。
【００２６】
形式、スプーン１０、シート１６は、最初に図７に示される位置から逆さまである。
【００２７】
ひだは、半折ライン２２−２を集めて、かつ、図７Ａで見られるように２つの側面のエリアＶを表に出して、隣接したエリアＷを下へ折り重ねるためにスタイルを与えて、ライン２１−１および２−３につけられる。先端部Ｘが上げられて、これは中央の尾根を作る。スコア・ライン３９を横切って、そのエリアのすべてを横切って伸びること、ＷとＶはそのエリアを許可する、そのエリアから角のあるＵおよびＴ、ＶおよびＷ、それらのエリアがハンドル１２を形成するためにともに平らになる場合。これは、ボール部１４（ボール部の中間を下って傾斜する三角形４４）の外形上ゆらゆら燃える尻部を作成する。折り重なる（これらのエリアを）と傾斜している三角形４４、およびエリアＴの側にあるように表に出された側面のエリアＵを引き起こす、隣接する、三角形４４。
【００２８】
エリアＶおよびＷはスプーン・ボウル１４がロードされる場合に曲がることに抵抗することができるハンドル１２のように棒を作るためにともに平らになる、に関して、ハンドルとして有効に機能することができること。
【００２９】
ハンドル１２の層をまとめるために、上側部Ｂで、ハンドルの厚さ以上平らになった層、側の上に折り重ねられたエリアＱおよびエリア「Ｐ」が包まれる。スナップ３０および２８はともに平らになったハンドル層を維持するためにともに連れ添う。
【００３０】
側面のエリアＳも完全な先端３６へと傾斜していて、側面のエリアＵと一緒に形式スプーン・ボウル側面のまでもたらされる。Ｔｈｗ、２つの楕円形のエリア５０が形成する、１つの、スプーン・ボウル１４の底エリアＲに隣接しているこれらの側の角のある推移。
【００３１】
図８−１３は、ボウル５２で構成された折り曲げられる容器を示す。容器の上のこの一般的なタイプの折り目はそうである、促進するためにあらかじめ折り目を付けられた、扱われたpaperobardのフラット・シートと共に、お持ち帰りの中華料理店で貿易を知っている、折り畳み式。
【００３２】
折り曲げられるボウル５０は、プラスチックのフラット・シート５４から好ましくは形成される、スプーン（つまり０．８ｍｍ）よりわずかに大きな厚さのポリプロピレン。
【００３３】
シート３４には示された正方形のような多重側を有する形を定義する周囲端５６がある。シリーズ、得点された、ここに周囲端５６のものに対応する側面がある、閉じた形（つまりさらに、三角形および他の形は可能であるが、正方形）から５８行目を折り重ねて、同じ方法で関連させた、に、その結果正方形の側面、周囲端５６の対応する側面と同じ一般的な方角に伸びる。
【００３４】
組の愉快な折り目ライン６０および６２は、閉じた形の各角から出て、周囲端まで及ぶ、対向面エリアＣおよびＤの三角形のエリアＢ．２ペアが、このように残される成形加工、三角形のエリアＢ。
【００３５】
おすのスナップ６４は各側面のエリアＣとＤの各角に決められる。穴部６８は、個々の三角形のエリアＢの一番上のシート５４へ空けられる、置く、その結果、エリアＢが６０行目に沿って折り重なることにより側面のの外部上に側面のＤに沿って折り重ねられる場合、６２、おすのスナップは整列した穴部６４を通って連れ添うめすのスナップを取ることができる。
【００３６】
本発明の１つの特徴によって、周囲端、５Ｃの側、Ｃ、ボウル縁の一部の形成、端の間外形上曲げられる、側の５６Ｄ、Ｄ、ボウル縁の残りの形成、直線である、を横切って。スナップ６６および６８は捜し出される、隣接する、外形上、湾曲縁。
【００３７】
側（Ｄ）の上方角での端もエリアＢの端のカーブへのマッチであるためにわずかに曲げられる。
【００３８】
側面のＣおよびＤがきちんとたたまれる場合、三角形のひだはエリアによって形成される、側面ののＢおよび重なるエリア、Ｄ、ひだ７０、側面のに重なること、Ｃ、スナップ６６および６８が連れ添うことを可能にすること。
【００３９】
この位置の中で、湾曲縁５６Ｃ、ストレート・エッジ５６Ｄの最低の先端部Ｘより高いリム部を形成する、それはより低い薬浴を形成する、リム部を曲げた。この配置は、ボウル５２の外観を増強すると同様に液体のレベルが連れ添うスナップ６６のに達する先端部へのボウル５２の充満することに関して防ぐ。
【００４０】
折り目ライン６０（それは内部から目に見えるようになる）によって定義された外部の端と結合して、折り目ライン６２によって定義されたひだ７０の内部の端が、シートの部分に重なることによって目に見えるようになるので、はっきりした審美的な結果を加えるプラスチックシート５４は半透明である。したがって、魅力的な設計特徴は折り重ねられた容器の外観を著しくより愉快にするために作成される。
【００４１】
図１４−１９を参照して、折り曲げられるカップ７４は、どれが上に記述されたボウル５２とのいくつかの類似点を持っているか示される。すなわち、プラスチック７６のフラット・シートには中央の閉じた形（ここに、カップに適しているようにボウル５２より険しい壁を作成するために一連の折り目ライン７８．によって形成された正方形、２つの三角形のエリアＢ−１、Ｂ−２、ボウルよりより狭い側（ＣとＤ）を備えた角の各々で形成される）がある。三角形のエリアＢ−１を形成する長方形の楕円形８４を備えた側面のＣおよびＤを備えたフラップ８０の交差で丸コーナ８６を作成する１ペアの折り目ライン８０コンバイン。楕円形は、愉快な視覚的な特徴を示すと同様に角の曲がるストレスも減らす。
【００４２】
フラップ８８は図１４で見られるようにオーバーラップさせることができるほど十分に大きい、１７、その結果、単一のセットは９０を折る。９２はフラップ８８の１つの角の２つの穴部９４を通り抜けて、各側で両方のフラップ８８を保持することができる、そしてその、他のフラップ８８の１つの横の穴部９６。
【００４３】
フラップ８８のＤおよび１０２がcurvedされる側面のの最先端１００が、ボウル５２への同様の方法でスナップ９０および９２より下の液体の最大のレベルを維持している間に、各側面のＣの最先端９８は下へ曲げられる。
【００４４】
図２０−２５を参照して、折り曲げられる皿１０４は１ペアの最低値を備えた長方形の配置に示される。本質的に、縦辺は１０６を囲む。また、端部は１０８を囲む。
折り曲げられる皿１０４は、上に記述された一般的な矩形形状、好ましくは食品用銘柄ポリプロピレン、ボウルの中でほど厚い０．８ｍｍおよびカップの水平なプラスチックシート１１０を折り重ねることにより形成される。
【００４５】
１つの、一般に、四角い底エリア「Ａ」はペアによって形成される、得点された、１１２．成形加工が指示したラインを折り重ねる、端部の楕円形のエリア「Ｂ。」側１０６は折り目ライン・ペア１１４の外部で長方形のエリア（Ｄ）によって形成される。
【００４６】
１組の三角形のエリア（Ｅ、とＦ）は、側面の１０６端部１０８が接する角から外に伸びるホールド・ライン１１２および角のあるホールド・ライン１１６の拡張によって形成される。
【００４７】
フラップ縞１２０は緊密に間隔を置かれた倍によって形成される、側の上側端部を定義して、１１８行目を折り重ねる。
【００４８】
三角形のエリア（Ｅ、とＦ）の各々で１２２が形成されると考える、それは提携するようになる、いつ、側１１２、また１０８を終了する、きちんとたたまれ三角形のエリアである、外形上三角形のフラップ１２４を形成するプロジェクトにともに折り重ねられる。三角形のフラップ１２４は、サイドウォール１０６（図２８および２９）の外部上に包まれる。
【００４９】
その後、四角皮弁１２０は、外に三角形のフラップ１２４および側１０４（図２０および２３）上に折り重ねられる。男性のスナップ１２６、また今めすのスナップ１２８を整列させた、ともにもっと折られる、提携した、皿１０４の折り重ねられた条件を安全にするために三角形のフラップ１２４の中に１２２を保持する。
【００５０】
四角皮弁１２０は、より長い側１０８を堅くする役目をする。
【００５１】
半透明プラスティックは四角皮弁１２０および上に記述されるような愉快な視覚効果を加えて、図２０で見られるような側１０６によって三角形のフラップ１２４を見ることを可能にする。
【００５２】
サイズと大きさの中でセット中の様々な折り曲げられる器具を変えることができることが認識されるだろう。
【００５３】
図２６−３０は、図１つの７Ａに述べられていた折り曲げられるハンドル付きの器具の変化である。
【００５４】
図２６では、フラット・シートから折り曲げられるフォークを提供するために、１２８行目はボウル１３０の最先端上で形成される。
【００５５】
図２７では、短い鋸歯状の切り込み１３２は「スポーツ」あるいは結合したスプーンおよびフォーク１３４を提供する。
【００５６】
図２８では、中国のスプーンかひしゃく１３６は、より深いボウル１３８を作成するために折り目ラインのうちのいくつかを除去することにより提供される。
【００５７】
図２９は、ハンドル部から突き出る一連の剛毛１４２の提供により形成された折り曲げられるブラシ１４０を示す。
【００５８】
図３０は、大きなスクープか海岸が、大きなボウル１４６および比例してより短いハンドル１４８を持って、１４４をシャベルですくうことを示す。
【図面の簡単な説明】
【００５９】
【図１】図１は、本発明による折り畳みできるスプーンについての図である。
【図２】図２は、図１のスプーン底面図である。
【図３】図３は、図１及び２のスプーンの上部図面である。
【図４】図４は、図１−３のスプーンの右側面図である（左側面は右側面と同じ）。
【図５】図５は、図１−５のスプーンの後部図である。
【図６】図６は、図１−５のスプーンの正面図である。
【図７】図７は、平らなシート・カットの平面図で、スプーンとして折りたたむ事が出来るようになっている折り目を示すものである。
【図８】図８は、本発明による折りたためるお椀についての図面である。
【図８Ａ】図８Ａは、図８に示される折りたためるお椀についての、部分的に逆転して折り重ねられた見方である。
【図９】図９は、図８のお椀の拡大した平面図である。
【図１０】図１０は、図８及び９のお椀の拡大した下面図である。
【図１１】図１１は、図８−１０のお椀の右側面図（左側面図は同一）である。
【図１２】図１２は、図８−１１（同一の背面図）のお椀の正面図である。
【図１３】図１３は、図８−１２のお椀状に折りたためることを可能である事を示す、折線入りの平らなシートの平面図である。
【図１４】図１４は、本発明による折りたためるコップについての絵図である。
【図１４Ａ】図１４Ａは、部分的に折り重ねられた状態の図１４に示される折り曲げられるコップについての絵図である。
【図１５】図１５は、図１４のコップの平面図である。
【図１６】図１６は、図１４及び１５のコップの底面図である。
【図１７】図１７は、図１４−１６（左側面も同一）のお椀の右側図である。
【図１８】図１８は、図１４−１７（同一の背面図）のお椀の正面図である。
【図１９】図１９はシート・カットの平面図で、それが図１４−１８に示されるコップ状に折りたためることを可能にするパターンの中の折り目である。
【図２０】図２０は、本発明による折りたためる皿についての絵図である。
【図２１】図２１は、図２０の皿の平面図である。
【図２２】図２２は、図２０および２１の皿の底面図である。
【図２３】図２３は、図２０−２２（同一の左側図面）の皿についての右側面図である。
【図２４】図２４は、図２０−２３（同一の背面図）の皿の正面図である。
【図２５】図２５は、シート・カットの平面図で、それが図20-24の皿状に折りたためることを可能にするパターンの中の折り目である。
【図２６】図２６は、シート・カットの平面図で、それがたたまれてフォークとなることを可能にするパターンの中の折り目である。折り曲げられることを可能にするパターンの中で得点した。
【図２７】図２７は、シート・カットの平面図で、それが結合してスプーンおよびフォークへ折りたためることを可能にするパターンの中の折り目である。
【図２８】図２８は、それがひしゃくや中国式スプーン状に折り曲げられることを可能にするパターン中のシート・カットの平面図である。
【図２９】図２９は、シート・カットの平面図で、それがブラシ状に折りたためる事を可能にするパターンの折り目である。
【図３０】図３０は、シート・カットの平面図で、それが折りたためる短いハンドル付きのスコップかビーチシャベルであることを可能にするパターンの中の折り目である。
【図１】
2009512503.tif 000003
【図１Ａ】
2009512503.tif 000004
【図２】
2009512503.tif 000005
【図３】
2009512503.tif 000006
【図４】
2009512503.tif 000007
【図５】
2009512503.tif 000008
【図６】
2009512503.tif 000009
【図７】
2009512503.tif 000010
【図８】
2009512503.tif 000011
【図８Ａ】
2009512503.tif 000012
【図９】
2009512503.tif 000013
【図１０】
2009512503.tif 000014
【図１１】
2009512503.tif 000015
【図１２】
2009512503.tif 000016
【図１３】
2009512503.tif 000017
【図１４】
2009512503.tif 000018
【図１４Ａ】
2009512503.tif 000019
【図１５】
2009512503.tif 000020
【図１６】
2009512503.tif 000021
【図１７】
2009512503.tif 000022
【図１８】
2009512503.tif 000023
【図１９】
2009512503.tif 000024
【図２０】
2009512503.tif 000025
【図２１】
2009512503.tif 000026
【図２２】
2009512503.tif 000027
【図２３】
2009512503.tif 000028
【図２４】
2009512503.tif 000029
【図２５】
2009512503.tif 000030
【図２６】
2009512503.tif 000031
【図２７】
2009512503.tif 000032
【図２８】
2009512503.tif 000033
【図２９】
2009512503.tif 000034
【図３０】
2009512503.tif 000035
【国際調査報告】
2009512503.tif 000036
2009512503.tif 000037
2009512503.tif 000038